(57)【要約】【目的】額縁や額縁写真立ての構成部品を兼用部品化する等により減少させて無理のない低価格化を推進すると共に薄型、軽量化する。【構成】縁取りした透明材と比較的接着力の弱いフィルムによって構成される額縁写真立て。【選択図】  図１
2005081119.tif 000002
【特許請求の範囲】
【請求項１】
自由なデザイン、あるいは自由な形状による縁取りを施した形状自在の透明材と、該透明材の少なくとも一面に設ける接着可能な加工を施したフィルムと釣具あるいはスタンド部材によって構成される額縁。
【発明の詳細な説明】
【産業上の利用分野】
【０００１】  本発明は、写真やイラスト等を飾る為の額縁やいわゆる写真立てに関する。
【背景技術】
【０００２】  従来、絵画や写真を飾り付ける額縁は、縁取部となる金属や木材を用いた、いわゆる縁取り部とその内側に設けるガラスや合成樹脂を用いた透明板と、額縁内に飾る物、例えば写真が擦れたり外れたりしないようにするために裏側から押さえる押え板によって構成され、縁取り部裏側に釣下げ用具を付けたものや裏側の押え板にスタンド部を取り付けるという形で長きに渡って作り続けられてきた。この構造はデザインや使用部材によって高級品から安物まで多様な製品を作ることができるが、この構造を踏襲しているための問題点、すなわちデザイン上の閉塞感や構成内容を変えずに安価な製品を作ろうとする時のコストダウン上の問題を解決に導くような新たな考えが求められていた。【０００３】  また比較的新しい試みとして、２枚の透明樹脂板の間に写真を入れて４角に穴を設けてネジ止し、下側の２本のネジを延長して足、すなわちスタンドとして使った物がある。この方式は上記デザイン上の閉塞感を打ち破る物として期待されたが、日当たりの良い所や温度差の大きい所で使用されると時間の経過と共に２枚の板が反って中間に隙間を生じるという問題を抱えている。
【発明が解決しようとする課題】
【０００４】  本発明は、このような実情を背景にして為されたもので、進歩した加工技術や新素材を応用して従来に無い薄さや軽さを特徴とする新しい構造にする、基材の変形による隙間を防止する構造にする、あるいは新しい構造によって構成部材を減らして無理の無い安価さを得るという新たな特徴を生み出すと共にデザインの創造性を広げようとするものである。
【課題を解決するための手段】
【０００５】  本発明は、例えば接着力があまり強く無く何回も貼り剥がしができるフィルム等の新素材を用いて裏側から写真やイラスト等を固定する事、すなわち額縁裏側の構造を変えて薄型、軽量化と低価格化を進める一方、表側についても、エッチング加工により縁取り部を作ったガラス板や印刷加工により縁取り部を作った樹脂板を使用して、従来の額縁の縁取り部とその内部に用いたガラス等の透明部材を一体化して薄型、軽量化を促進する。このようにして上記構成部品の変更および減少による薄型、軽量化と製造費の減少により無理無く安価な製品を作るものである。
【０００６】  例えば、第一実施例のように、長方形の透明ガラス板にサンドブラスト加工や印刷によって縁取り加工を施して額縁兼用の透明板を作ると共に、額縁兼用の透明樹脂板の一部を曲げてスタンド部を作り、さらにこの額縁兼用の透明板の裏面に貼り外し可能な比較的接着力の弱い接着加工を施したフィルムを使って写真を固定して額縁写真立てとすることにより、少ない構成部材による無理のない安価さと上記構成による従来に無い薄さと軽さが得られることから形状やデザイン面での新たな可能性をもたらすのである。
【０００７】  また第二実施例では従来高価な額縁に使われていた、いわゆる段落とし構造に拘りながら本発明を実施するものである。すなわち、裏面を塞ぎ前面開口形の段落とし構造を持つ額縁を作り、表側の真ん中すなわち裏面兼用の最下段部に写真やイラストを固定して、数段の段上げを経た表側表面に透明樹脂フィルムを貼ることにより伝統的な段落し構造で有りながら、安価にして新しい感覚の額縁としたものである。
【０００８】  さらに、第三実施例では透明樹脂板の表面にレンズ模様を、裏面にドット模様の印刷を施し、表面と裏面モアレ形成パタンのモアレ現象によって裏面の模様を立体的に視認し得るようにすることによって立体感を与えるようにしたものとされる、特開平１１−１８９０００号や特開２０００−３７９９５号の技術を用いたものである。例えば、上記立体感を与える縁取り印刷を施した額縁兼用の透明板の窓部に貼り外し可能な比較的接着力の弱い接着加工を施したフィルムを使って裏側から写真を固定して、これにスタンド部材や釣り下げ部材を付けて額縁としたものである。このように少ない構成部材によって無理のない安価が達成されると共に、さらに上記モアレ現象によって裏面の模様を立体的に視認し得る額縁兼用の透明板としたことにより薄型なのに立体感のある厚さが感じられるという従来に無い形状を誕生させ、形状やデザインの範囲拡大をもたらすものとした。
【発明の効果】
【０００９】  上述したように本発明は、例えば額縁部、透明板、裏側の押さえ板によって構成されていた伝統的な額縁の構造を新たな技術や新素材を利用して組み替えるものである。すなわち、新たな技術を用いて額縁部兼用の透明板を作ることにより表側側の構造を変更する一方、例えば従来より透明樹脂板の表面保護用に使われ使い捨てされてきた比較的接着力の弱い透明フィルムを利用して額縁部兼用の透明板の裏側から写真等を所定の枠内に固定する裏側構造の変更を加えることにより、使用部材の削減による低価格化と薄形化、軽量化を促進するものである。
【００１０】  さらに上記、透明樹脂板の表面にレンズ模様を、裏面にドット模様の印刷を施し、表面と裏面モアレ形成パタンのモアレ現象によって裏面の模様を立体的に視認し得るようにすることによって立体感を与えるようにしたものとされる、特開平１１−１８９０００号や特開２０００−３７９９５号の技術を利用して、透明板上に立体感を与える縁取り印刷を施した額縁部兼透明板を作り、裏面に印刷したモアレ形成パタンの保護を兼ねた接着力の比較的弱い透明フィルムを用いて裏側から写真等を所定の枠内に固定して立体感のある薄型の額縁とする等、使用部材の削減による無理の無い低価格化を図ると同時に薄形化、軽量化による新たなデザインや形状へと創造性を広げる効果持つ物である。
【実施例】
【００１１】  本発明による第一実施例、図１の額縁写真立て１は、額縁兼用の透明板１１の基材である長方形の透明ガラス板の一部を曲げてスタンド部１４を作り、額縁兼用の透明板１１の前面には、サンドブラストによる縁取り加工を施した透明材の縁取り部１１Ａと透明の窓部１１Ｂを形成させ、裏面に比較的接着力の弱い接着剤の着いたフィルム１３を用いて写真１２を固定したものである。このように少ない構成部材が無理のない安価をもたらし、さらに従来に無い薄さによって形状やデザインの可能性の拡大をもたらすのである。【００１２】  また第二実施例、図２および図３の額縁写真立て２は、前面開口形の段落とし構造２１Ａｂ，２１Ａｃの中間２段を持つ額縁を作り、表側の真中すなわち再下段２１Ａｄにイラスト２２を固定して、表側表面２１Ａａに透明樹脂フィルム２３を貼付け裏側にスタンド部２４を取り付けたものである。これは、従来高価な額縁に使われていた、いわゆる段落とし構造に拘って前面開口型の段落とし構造を持つ額縁２１とした物で、伝統的な段落し構造を踏襲した新しい感覚の額縁としたものである。【００１３】    さらに、第三実施例、図４および図５の額縁写真立て３は、額縁兼用の透明樹脂板３１基材である透明ガラス板の表面にレンズ模様Ｘを裏面にドット模様Ｙの印刷を施し本実施例ではドット模様Ｙの上に白色Ｚを重ねたもので、表面と裏面モアレ形成パタンのモアレ現象によって裏面の模様を立体的に視認し得るようにすることによって立体感を与えるようにしたものとされる特開平１１−１８９０００号や特開２０００−３７９９５号の技術を用いて、透明樹脂板に上記立体感を与える縁取り印刷Ｘ，Ｙ，Ｚを施して額縁兼用の透明板３１としたものである。この額縁兼用の透明板３１の裏側に貼り外し可能な比較的接着力の弱い接着剤の着いたフィルム３３を使って裏面に写真３２を固定して、これにスタンド部材や釣り下げ部材（図示せず。）を付けて額縁としたものである。このように少ない構成部材によって無理のない安価が達成されると共に、さらに上記モアレ現象によって裏面の模様を立体的に視認しさせることによって、薄形にして立体的な深みを持つ従来に無い製品を誕生させると共に、さらなる新しい形状やデザインを生み出す元となる物である。
【図面の簡単な説明】
【００１４】
【図１】本発明の第１実施例を示す額縁写真立ての一部開口斜視図
【図２】本発明の第２実施例を示す額縁写真立ての正面図
【図３】本発明の第２実施例を示す額縁写真立ての側面図
【図４】本発明の第３実施例を示す額縁写真立ての断面図
【図５】本発明の第３実施例を示す額縁写真立ての斜視図
【符号の説明】
【００１５】１，２，３………………額縁写真立て
１１，２１，３１………額縁写真立ての額縁兼用の透明板
２１………………………段落とし構造の底部付きの額縁
１２，２２，３２………飾られている写真、イラスト等
１３，２３，３３………裏面の接着力の弱い透明フィルム
１４，２４………………スタンド部
１１Ａ，２１Ａａ，２１Ａｂ，２１Ａｃ，３１Ａ……額縁の縁取り部
１１Ｂ，３１Ｂ…………額縁の窓（透明）部
２１Ａｄ…………………額縁の底部
Ｘ…………………………表面のレンズ模様
Ｙ…………………………裏面のドット模様
Ｚ…………………………裏面のドット模様に重ねた白色
【図１】
2005081119.tif 000003
【図２】
2005081119.tif 000004
【図３】
2005081119.tif 000005
【図４】
2005081119.tif 000006
【図５】
2005081119.tif 000007